(57)【要約】      （修正有）【課題】本来の手袋として、若しくは指挿入具として選択的に使用することができ、或いは従来の使い捨ての手袋のように使用後にそのまま廃棄されるようなことがなく、手袋としての使用後に指挿入具として使用できる手袋を提供する。【解決手段】手袋本体を分断して指挿入具を形成することができる指挿入具形成用分断線が、手袋本体に形成されていることを特徴とする。【選択図】図１
2013079465.tif 000002
【特許請求の範囲】
【請求項１】
手袋本体（１）を分断して指挿入具を形成することができる指挿入具形成用分断線が、手袋本体（１）に形成されていることを特徴とする手袋。
【請求項２】
指挿入具形成用分断線がミシン目である請求項１記載の手袋。
【発明の詳細な説明】
【技術分野】
【０００１】
本発明は、本来の手袋としての使用の他、指挿入具としても使用することができる手袋に関する。
【背景技術】
【０００２】
一般に、手に付着すると除去しにくいインクや毛染め液、或いは手に付着することで皮膚に影響を与えるような化学薬品を取り扱う際には、そのインク、毛染め液、化学薬品等が手に付着するのを防止するために使い捨て用の手袋が着用される。また食品工場等において、握飯やサンドイッチ等の加工食品を製造する際には、米飯やパンに具材を装入する等が手作業で行われる場合があり、そのような場合にも衛生上の観点から食材が直接手に触れるのを防止するために、使い捨て用の手袋を着用することが作業者に義務付けられている。このような使い捨て用の手袋に関するものとして、たとえば下記特許文献１〜４のような特許出願がなされている。
【０００３】
しかし、このような従来の手袋は、５本の指を挿入する手袋としての機能のみを有するものであり、それ以外の機能を有しないものである。また、このような従来の手袋は、たとえば薄手の合成樹脂フィルム等で構成されて使い捨てを目的として使用されるものであり、使用後にはそのまま廃棄されているのが現状である。
【先行技術文献】
【特許文献】
【０００４】
【特許文献１】特開２００４−１６２１５１号公報
【特許文献２】特開２００４−１５６１５５号公報
【特許文献３】特開２００３−２３９１２０号公報
【特許文献４】実開平６−６９２１８号公報
【発明の概要】
【発明が解決しようとする課題】
【０００５】
本発明は、このような点に鑑みてなされたもので、本来の手袋として、若しくは指挿入具として選択的に使用することができ、或いは従来の使い捨ての手袋のように使用後にそのまま廃棄されるようなことがなく、手袋としての使用後に指挿入具として使用できる等、有効利用を図ることができる手袋を提供することを課題とする。
【課題を解決するための手段】
【０００６】
本発明は、このような課題を解決するためになされたもので、手袋本体を分断して指挿入具を形成することができる指挿入具形成用分断線が、手袋本体に形成されていることを特徴とする手袋を提供するものである。指挿入具形成用分断線としては、たとえばミシン目のようなものが用いられる。
【０００７】
かかる構成からなる手袋は、一般の手袋と同様に、手袋本体内に手指を挿入し、手袋本体を手に着用して使用することができる。
【０００８】
一方、手袋本体に形成された指挿入具形成用分断線に沿って、手袋本体を分断することができる。このように指挿入具形成用分断線に沿って手袋本体を分断することで、指挿入具を得ることができる。
【０００９】
このようにして得られた指挿入具は、たとえば３本指や２本指の指挿入具として、食材を摘む等のために使用することができ、或いは１本指の指挿入具として指サック等として使用することができる。また、手袋として使用した後に、上記のように指挿入具形成用分断線に沿って、手袋本体を分断して指挿入具として使用することもできる。
【００１０】
尚、本発明の手袋は、主として使い捨て用として用いられるものであるので、指挿入具形成用分断線に沿って手袋本体が分断されても、特に不都合が生じるようなこともない。
【発明の効果】
【００１１】
以上のように、本発明によれば、手袋として使用する際には、一般の手袋と同様に、手袋本体内に手指を挿入し、手袋本体を手に着用して使用することができ、手袋として使用しない場合には、指挿入具形成用分断線に沿って手袋本体を分断することで、たとえば３本指や２本指の指挿入具として、或いは１本指の指挿入具として使用することができる。このように、使用者において、手袋として或いは指挿入具として選択的に使用することができる。
【００１２】
また本発明の手袋は、手袋として使用した後に、指挿入具形成用分断線に沿って手袋本体を分断することで、指挿入具として使用することもできる。この場合には、従来の使い捨て用の手袋のように使用後にそのまま廃棄されるようなこともなく、手袋としての使用後に指挿入具として使用できる等、有効利用を図ることができるという効果がある。
【図面の簡単な説明】
【００１３】
【図１】一実施形態としての手袋の正面図。
【図２】図１のＡ−Ａ線断面図。
【図３】図１のＢ−Ｂ線断面図。
【図４】手袋を手に装着した状態の正面図。
【図５】手袋を分断して３本指の指挿入具を得る状態を示す正面図。
【図６】３本指の指挿入具を手に装着した状態の正面図。
【図７】指挿入具の指間の部分を裂断した状態の正面図。
【図８】手袋若しくは３本指の指挿入具から１本指の指挿入具を得る状態を示す正面図。
【図９】一実施形態としての指挿入具の製造方法におけるチューブの移送工程を示す概略平面図。
【図１０】図９のＣ−Ｃ線断面図。
【図１１】指挿入具の輪郭部分を熱シールする工程を示す概略平面図。
【図１２】チューブの両側部を切断する工程を示す概略平面図。
【図１３】熱シールした部分を切り取る工程を示す概略平面図。
【図１４】他実施形態の手袋の正面図。
【図１５】他実施形態の手袋の正面図。
【図１６】他実施形態の手袋の正面図。
【図１７】他実施形態の手袋の正面図。
【図１８】他実施形態の手袋の正面図。
【図１９】他実施形態の手袋の正面図。
【図２０】他実施形態の手袋の正面図。
【図２１】他実施形態の手袋の要部拡大断面図。
【発明を実施するための形態】
【００１４】
以下、本発明の実施形態について説明する。
【００１５】
本発明の手袋は、上述のように、手袋本体を分断して指挿入具を形成することができる指挿入具形成用分断線が、手袋本体に形成されているものである。
【００１６】
手袋本体は、たとえば、親指を挿入する指挿入部、人指し指を挿入する指挿入部、中指を挿入する指挿入部、薬指を挿入する指挿入部、及び小指を挿入する指挿入部のそれぞれ５本の指挿入部を有して構成することができる。
【００１７】
手袋本体は、たとえば合成樹脂製シートで構成することができる。この合成樹脂製シートを構成する合成樹脂の種類は問うものではないが、本発明の手袋が主として使い捨てを目的とすることから、製造コストが安価なポリエチレン、ポリプロピレン等を用いることが望ましい。ただし、手袋本体の材質は合成樹脂に限定されるものではない。たとえばゴムや不織布で手袋本体を構成することも可能である。
【００１８】
手袋本体の構成は特に限定されないが、たとえば表片と裏片との２枚のシート片を指の形状とし、その周縁部を熱シール等によりシールすることによって形成することができる。この場合、指挿入部の指先部分とは反対側の基端部側はシールされず、指を挿入するための開口部として形成される。
【００１９】
指挿入具形成用分断線としては、たとえばミシン目のようなものが採用される。ミシン目以外に、たとえばハーフカットのような線を裂断線として用いることもできる。ハーフカットの線としては、たとえば熱等により合成樹脂製シートを脆弱化させたものを用いることができる。
【００２０】
指挿入具形成用分断線を介して手袋本体を分断することで、たとえば３本指や２本指の指挿入具として、食材を摘む等のために使用することができ、或いは１本指の指挿入具として指サック等として使用することができる。たとえば３本指の指挿入具を得る場合には、
中指を挿入する指挿入部と薬指を挿入する指挿入部との間の指股部から、親指を挿入する指挿入部が設けられた手袋本体の一側縁側に向かって指挿入具形成用分断線を形成することで、３本指の指挿入具を得ることができる。このような３本指の指挿入具は、たとえば外食産業の店舗等においてフライドチキン、ドーナツ、フライドポテト等の油分を含む食材を食べる場合に、そのような食材を３本の指で摘むように、親指、人指し指、中指の３本の指を各指挿入部に挿入して使用されるものである。
【００２１】
また１本指の指挿入具を得る場合には、たとえば隣り合う指股部を結ぶようにして各指挿入部を横切る指挿入具形成用分断線を形成することができる。このような１本指の指挿入具は、たとえば傷テープ等を指に貼り付けている場合において、その傷テープを保護すべく指に被せて使用される。
【００２２】
さらに手袋本体の各指の指挿入部には、該指挿入部の周縁部から内側に窪んだ窪み部を形成することができる。かかる窪み部を形成することで、その窪み部が指への引っ掛かり部分となって、各指の指挿入部から、各指が不用意に抜け出るのが好適に防止されることとなる。
【００２３】
以下、本発明のより具体的な実施形態について図面に従って説明する。
【００２４】
（実施形態１）
本実施形態の手袋２０の手袋本体１は、図１に右手に装着する場合を例にして示すように、図１正面視左側から順に右側に向けて順に親指を挿入する指挿入部２、人指し指を挿入する指挿入部３、中指を挿入する指挿入部４、薬指を挿入する指挿入部５、及び小指を挿入する指挿入部６を具備して構成されている。手袋本体１は、全体が合成樹脂製シートからなり、図２に示すように、手袋本体１が、装着時には手の甲側にあてがわれることになる一片１ａと掌側にあてがわれることになる他片１ｂからなり、各指挿入部の指先側とは反対側の手袋本体１の基端部側には手を挿抜するための開口部７が形成されている。
【００２５】
該開口部７を除く手袋本体１の周縁部には、熱シールによるシール部８が形成されている。
すなわち、手首内側に相当する部位から指先を開いた状態における手の輪郭に沿って各指先を通って手首外側に相当する位置にまで連続したシール部８が形成されている。
【００２６】
また、隣接する親指を挿入する指挿入部２、人指し指を挿入する指挿入部３、中指を挿入する指挿入部４間の指股部９、１０から開口部７側に向かって、熱シールによる区画シール部１１が形成されている。このような区画シール部１１には、指股部９、１０から開口部７側に向かって手袋本体１を裂断する裂断線であるミシン目１２が形成されている。本実施形態では、このミシン目１２は、手袋本体１の途中の部分で停止するように形成されている。また、この区画シール部１１には、それぞれの線幅中央部を通るようにしてミシン目１２が形成されている。さらに、このミシン目１２は、手袋本体１の表裏両片１ａ、１ｂの双方に形成されている。
【００２７】
そして、前記ミシン目１２に交差するようにして、３本指の指挿入具を形成するための指挿入具形成用分断線としてのミシン目１３が形成されている。このミシン目１３は、中指を挿入する指挿入部４と薬指を挿入する指挿入部５との間の指股部１４から、親指を挿入する指挿入部２が設けられた手袋本体１の一側縁１５側に向かって、斜めに形成されている。
【００２８】
さらに、薬指を挿入する指挿入部５と、小指を挿入する指挿入部６との根元部には、１本指の指挿入具を形成するための指挿入具形成用分断線としてのミシン目１６が形成されている。このミシン目１６は、中指を挿入する指挿入部４と薬指を挿入する指挿入部５間の指股部１４から、薬指を挿入する指挿入部５と小指を挿入する指挿入部６間の指股部１７を横切って、小指を挿入する指挿入部６の根元部における手袋本体１の他側縁１８側に向かって形成されている。
【００２９】
そして、このような構成からなる手袋２０を使用する場合には、図４に示すように、各指を挿入する指挿入部２、３、４、５、６内に、それぞれ親指２１、人指し指２２、及び中指２３を挿入する。このように、指挿入部２、３、４、５、６内に、親指２１、人指し指２２、及び中指２３を挿入することで、手袋２０が手２６に着用されることとなる。
【００３０】
一方、手袋としてではなく、指挿入具として使用する場合には、図５に示すように、ミシン目１３に沿って親指を挿入する指挿入部２、人指し指を挿入する指挿入部３、中指を挿入する指挿入部４の部分を、手袋本体１から分断する。このように親指、人指し指、中指を挿入する指挿入部２、３、４の部分を手袋本体１から分断することで、図５に示すように３本指の指挿入具２７が得られることとなる。
【００３１】
そして、このようにして得られた指挿入具２７を使用する場合には、図６に示すように、親指、人指し指、中指を挿入する指挿入部２、３、４内に、それぞれ親指２１、人指し指２２、及び中指２３を挿入する。このように、指挿入部２、３、４内に、親指２１、人指し指２２、及び中指２３を挿入することで、指挿入具２７が指に着用されることとなる。
【００３２】
このように、指挿入具２７が指に着用された状態においては、３つの指挿入部２、３、４が指股部９、１０を介して連設された状態であり、また指挿入具２７が合成樹脂シートで構成されているので、３本の指２１、２２、２３を動かそうとするときに必ずしも指をスムーズに動かすことができないが、本実施形態においては、親指の指挿入部２、人指し指の指挿入部３、及び中指の指挿入部４の各指挿入部２、３、４間の指股部９、１０から開口部５側に区画シール部１１が形成され、その区画シール部１１上に裂断線であるミシン目１２が形成されているので、図７に示すように、そのミシン目１２を介して、挿入具２７が裂断されることとなる。この結果、各挿入部２、３、４が少し離間することになるので、各指をスムーズに動かすことが可能となる。従って、たとえば食材を摘んで食べる作業も容易に行えることとなる。
【００３３】
さらに、ミシン目１３に沿って親指を挿入する指挿入部２、人指し指を挿入する指挿入部３、中指を挿入する指挿入部４の部分を手袋本体１から分断するとともに、ミシン目１２に沿って各指挿入部２、３、４ごとに裂断し、さらにミシン目１６の部分に沿って薬指を挿入する指挿入部５及び小指を挿入する指挿入部６を手袋本体１から分断することで、図８に示すように、１本指の指挿入具２８が得られることとなる。このように、計５つの１本指の指挿入具２８が得られ、このような１本指の指挿入具２８は、たとえば指サックとして使用することができる。
【００３４】
このように、本実施形態においては、手袋として使用することができる他に、３本指の指挿入具２７として使用することができ、さらに１本指の指挿入具２８として使用することができるので、手袋、３本指の指挿入具、又は１本指の指挿入具として、選択的に使用することができる。
【００３５】
このように、本実施形態では、手袋或いは指挿入具として選択的に使用できるのであるが、このような選択的な使用に限らず、たとえば上記のように手袋２０として使用した後に、該手袋２０を手２６から離脱させ、その後にミシン目１３に沿って親指の指挿入部２、人指し指の指挿入部３、中指の指挿入部４の部分を分断して３本指の指挿入具２７として使用することができ、さらに、その３本指の指挿入具２７としての使用後に、ミシン目１２に沿って各指挿入部２、３、４ごとに裂断することで、１本指の指挿入具２８として使用することもできる。この場合には、従来の使い捨て用の手袋のように使用後にそのまま廃棄されるようなことがなく、手袋としての使用後に指挿入具として使用できる等の有効利用を図ることができる。
【００３６】
次に、上記のような構成からなる手袋を製造するための製造方法について説明する。
【００３７】
先ず、図９及び図１０に示すように、チューブ状に形成された合成樹脂製の長尺シート２９を移送し、平らに伸ばして合成樹脂製シートが上下に二枚重なった状態にする。該長尺シート２９は、チューブ状に形成されているので、その両側部３０、３０は、図１０に示すように前記一片１ａとなる上側シートと前記他片１ｂとなる下側シートとがつながった状態に形成されている。
【００３８】
本実施形態においては、この上側シートと下側シートとを手の輪郭形状に熱シールした後に上側シートと下側シートとをシール部分に沿ってもぎり取ることにより手袋２０を形成させる。以下に、長尺シート２９の幅方向に２つ並ぶように、且つ、両側部３０、３０側に前記開口部７を形成させ、長尺シート２９の幅方向中心部に指先位置がくるように手袋２０を作製する場合を例にして手袋の製造方法を説明する。
【００３９】
先ず、図１１に示すように、指挿入具の輪郭となる部分３１に熱シールを施し、シール部（図１１においては図示せず）を形成すると同時に親指の指挿入部２、人指し指の指挿入部３、及び中指の指挿入部４間の指股部９、１０から、開口部７を形成する開口部形成予定部分３２に至る側に向かって熱シールを施して区画シール部（図１１においては図示せず）を形成し、区画シール部の位置にミシン目１２を形成する。また、親指、人指し指、中指の３本指の指挿入具２７を形成するためのミシン目１３を形成するとともに、薬指及び小指の１本指の指挿入具２８を形成するためのミシン目１６を形成する。
【００４０】
次に、図１２に示すように、長尺シート２９の両側部３０、３０よりも内側に位置する開口部形成予定部分３２を切断する。このように長尺シート２９の開口部形成予定部分３２を切断することによって、開口部７が形成されることとなる。
【００４１】
次に、熱シールによってシール部が形成された指挿入具の輪郭となる部分に沿って手袋本体１の部分をもぎり取りつつ、長尺シート２９を巻き取る。より具体的には、手袋の輪郭となる部分に沿っていわゆるハーフカットによる切断線を形成し、長尺シート２９をロール等に巻き取ることによって、手袋本体１の部分が自動的に切り取られることとなり、それによって図１３に示すように、上記のような形状の手袋２０が、多数連続的に製造されることとなるのである。
【００４２】
（実施形態２）
本実施形態の手袋２０の手袋本体１には、図１４に示すように、親指を挿入する指挿入部２、人指し指を挿入する指挿入部３、中指を挿入する指挿入部４間の指股部９、１０から開口部７側に向かって手袋本体１を裂断する裂断線であるミシン目１２が形成され、該ミシン目１２に交差するようにして、３本指の指挿入具を形成するための指挿入具形成用分断線としてのミシン目１３が、中指を挿入する指挿入部４と薬指を挿入する指挿入部５との間の指股部１４から、親指を挿入する指挿入部２が設けられた手袋本体１の一側縁１５側に向かって形成されている。これらのミシン目１２、１３が形成された構成において上記実施形態１と共通する。
【００４３】
しかしながら、本実施形態においては、中指、薬指、小指の隣り合う指股部を結ぶようにして各指挿入部を横切って、小指を挿入する指挿入部の根元部における手袋本体１の他側縁１８側に向かって形成されるような、１本指の指挿入具２８を形成するためのミシン目１６は形成されていない。このように１本指の指挿入具２８を形成するためのミシン目１６が形成されていない点で、上記実施形態１と相違している。
【００４４】
本実施形態においても、手袋２０として使用しない場合には、ミシン目１３に沿って親指を挿入する指挿入部２、人指し指を挿入する指挿入部３、中指を挿入する指挿入部４の部分を手袋本体１から分断することで、３本指の指挿入具２７を得ることができる。また、このようにミシン目１３に沿って３本指の部分を手袋本体１から分断するとともに、ミシン目１２に沿って各指挿入部２、３、４ごとに裂断することで、１本指の指挿入具２８が得られる。ただし、本実施形態では、薬指を挿入する指挿入部５と小指を挿入する指挿入部６間の指股部１７を横切るミシン目１６が形成されていないので、薬指を挿入する指挿入部５及び小指を挿入する指挿入部６からなる１本指の指挿入具２８は得ることができない。
【００４５】
手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部にシール部８が形成されている点等の構成は実施形態１と共通する。
【００４６】
本実施形態においては、上記のように、薬指及び小指を挿入する１本指の指挿入具２８を得ることができないが、親指、人指し指、中指の３本の指用の指挿入具２７を得ることができ、さらに、人指し指、中指の１本指用の指挿入具２８を得ることができるので、実施形態１と同様に、手袋、３本指の指挿入具、又は１本指の指挿入具として、選択的に使用することができる。
【００４７】
また上記実施形態１と同様に、手袋２０として使用した後に、該手袋２０を手２６から離脱させ、ミシン目１３に沿って親指の指挿入部２、人指し指の指挿入部３、中指の指挿入部４の部分を、手袋本体１の他の部分と分断することで、３本指の指挿入具２７として使用することができ、さらに、その３本指の指挿入具２７として使用後に、ミシン目１２に沿って各指挿入部２、３、４ごとに裂断することで、１本指の指挿入具２８として使用することができるので、手袋をそのまま廃棄することなく、指挿入具として使用する等の有効利用を図ることができる。
【００４８】
（実施形態３）
本実施形態の手袋２０の手袋本体１には、図１５に示すように、親指を挿入する指挿入部２、人指し指を挿入する指挿入部３、中指を挿入する指挿入部４間の指股部９、１０から開口部７側に向かって手袋本体１を裂断する裂断線であるミシン目１２が形成され、該ミシン目１２に交差するようにして、３本指の指挿入具を形成するための指挿入具形成用分断線としてのミシン目１３が、中指を挿入する指挿入部４と薬指を挿入する指挿入部５との間の指股部１４から、親指を挿入する指挿入部２が設けられた手袋本体１の一側縁１５側に向かって形成されている。さらに、薬指を挿入する指挿入部５と、小指を挿入する指挿入部６との根元部に、１本指の指挿入具を形成するための指挿入具形成用分断線としてのミシン目１６が、中指を挿入する指挿入部４と薬指を挿入する指挿入部５間の指股部１４から、薬指を挿入する指挿入部５と小指を挿入する指挿入部６間の指股部１７を横切って、小指を挿入する指挿入部６の根元部における手袋本体１の他側縁１８側に向かって形成されている。これらのミシン目１２、１３、１６が形成された構成において上記実施形態１と共通する。
【００４９】
本実施形態においては、上記ミシン目１２、１３、１６とは別に、薬指と小指を挿入する２本指用の指挿入具を形成するための指挿入具形成用分断線としてのミシン目３３が、さらに形成されている。この２本指用の指挿入具を形成するためのミシン目３３は、前記薬指と小指をそれぞれ挿入する１本指用の指挿入具を形成するためのミシン目１６から、開口部７が形成された基端部側に離間するように、中指を挿入する指挿入部４と薬指を挿入する指挿入部５との間の指股部１４から、小指を挿入する指挿入部６が設けられた手袋本体１の他側縁１８側に向かって、斜めに形成されている。
【００５０】
また本実施形態においては、着用時において開口部７が手首まで至らないように手袋本体１が構成されており、上記実施形態１及び実施形態２に比べて、手袋本体１の縦方向の寸法が短く形成されている。
【００５１】
手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部にシール部８が形成されている点等の構成は実施形態１と共通する。
【００５２】
本実施形態においては、薬指と小指をそれぞれ挿入する１本指用の指挿入具を形成するためのミシン目１６とは別に、薬指と小指の２本指用の指挿入具を形成するためのミシン目３３が形成されているので、１本指の指挿入具形成用ミシン目１６、又は２本指の指挿入具形成用のミシン目３３のいずれかに沿って手袋本体１を分断することで、着用者の要望に応じて、薬指と小指をそれぞれ挿入する１本指用の指挿入具、又は薬指と小指の２本指用の指挿入具を選択して得ることができるという利点がある。
【００５３】
尚、ミシン目１３に沿って手袋本体１を分断することで、親指、人指し指、中指の３本指の指挿入具２７を得ることができ、さらにミシン目１２に沿って手袋本体１を裂断することで、親指、人指し指、中指をそれぞれ挿入することができる１本指の指挿入具２８を得ることができる点は、上記実施形態１等の場合と同様である。
【００５４】
本実施形態においても、手袋、３本指の指挿入具、又は１本指の指挿入具として、選択的に使用することができ、或いは手袋としての使用後に、指挿入具として使用できる等の有効利用を図ることができる。
【００５５】
（実施形態４）
本実施形態の手袋２０の手袋本体１には、図１６に示すように、親指を挿入する指挿入部２、人指し指を挿入する指挿入部３、中指を挿入する指挿入部４間の指股部９、１０から開口部７側に向かって手袋本体１を裂断する裂断線であるミシン目１２が形成され、該ミシン目１２に交差するようにして、３本指の指挿入具を形成するための指挿入具形成用分断線としてのミシン目１３が、中指を挿入する指挿入部４と薬指を挿入する指挿入部５との間の指股部１４から、親指を挿入する指挿入部２が設けられた手袋本体１の一側縁１５側に向かって形成されている。さらに、薬指を挿入する指挿入部５と、小指を挿入する指挿入部６との根元部に、１本指の指挿入具を形成するための指挿入具形成用分断線としてのミシン目１６が、中指を挿入する指挿入部４と薬指を挿入する指挿入部５間の指股部１４、及び薬指を挿入する指挿入部５と小指を挿入する指挿入部６間の指股部１７との隣り合う指股部を結ぶようにして各指挿入部を横切って、小指を挿入する指挿入部６の根元部における手袋本体１の他側縁１８側に向かって形成されている。さらに、薬指と小指を挿入する２本指用の指挿入具を形成するための指挿入具形成用分断線としてのミシン目３３が、中指を挿入する指挿入部４と薬指を挿入する指挿入部５との間の指股部１４から、小指を挿入する指挿入部６が設けられた手袋本体１の他側縁１８側に向かって形成されている。これらのミシン目１２、１３、１６、３３が形成された構成において上記実施形態１と共通する。
【００５６】
本実施形態においては、上記のような薬指と小指をそれぞれ挿入する１本指用の指挿入具を形成するためのミシン目１６とは別に、親指、人指し指、中指をそれぞれ挿入する１本指用の指挿入具を形成するためのミシン目３４が、親指、人指し指、中指の指挿入部２、３、４の根元部を横切って該親指、人指し指、中指の指挿入部２、３、４を分断し得るような位置にそれぞれ形成されている．
【００５７】
また本実施形態においては、着用時において開口部７が手首まで至らないように手袋本体１が構成されており、上記実施形態１及び実施形態２に比べて、手袋本体１の縦方向の寸法が短く形成されており、この点で上記実施形態３と共通する。
【００５８】
手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部にシール部８が形成されている点等の構成は実施形態１と共通する。
【００５９】
本実施形態においては、親指を挿入する指挿入部２、人指し指を挿入する指挿入部３、中指を挿入する指挿入部４間の指股部９、１０から開口部７側に向かって手袋本体１を裂断する裂断線であるミシン目１２、及び親指、人指し指、中指の３本指の指挿入具形成用のミシン目１３とは別に、親指、人指し指、中指をそれぞれ挿入する１本指用の指挿入具を形成するためのミシン目３４が、親指、人指し指、中指の指層入部２、３、４の隣り合う指股部を結ぶようにして各指挿入部の根元部を横切って該親指、人指し指、中指の指層入部２、３、４を分断し得るような位置にそれぞれ形成されているので、その１本指の指挿入具形成用のミシン目３４、又は３本指の指挿入具形成用のミシン目１３のいずれかに沿って手袋本体１を分断することで、着用者の要望に応じて、親指、人指し指、中指をそれぞれ挿入する１本指用の指挿入具、又は親指、人指し指、中指の３本指用の指挿入具を選択して得ることができるという利点がある。
【００６０】
尚、薬指と小指に関して、１本指の指挿入具形成用ミシン目１６、又は２本指の指挿入具形成用のミシン目３３のいずれかに沿って手袋本体１を分断することで、薬指と小指をそれぞれ挿入する１本指用の指挿入具、又は薬指と小指の２本指用の指挿入具を選択して得ることができる点は、上記実施形態３と同様である。
【００６１】
本実施形態においても、手袋、３本指の指挿入具、又は１本指の指挿入具として、選択的に使用することができ、或いは手袋としての使用後に、指挿入具として使用できる等の有効利用を図ることができる。
【００６２】
（実施形態５）
本実施形態の手袋２０の手袋本体１には、図１７に示すように、親指、人指し指、中指、薬指、小指をそれぞれ挿入する１本指用の指挿入具を形成するためのミシン目３４が、親指、人指し指、中指の指挿入部２、３、４、５、６の隣り合う指股部を結ぶようにして各指挿入部の根元部を横切って該親指、人指し指、中指の指層入部２、３、４、５、６を分断し得るような位置にそれぞれ形成されている。
【００６３】
本実施形態においては、上記実施形態１乃至４のような、親指を挿入する指挿入部２、人指し指を挿入する指挿入部３、中指を挿入する指挿入部４間の指股部９、１０から開口部７側に向かって手袋本体１を裂断する裂断線であるミシン目１２や、親指、人指し指、中指の３本指の指挿入具形成用のミシン目１３は形成されておらず、また上記実施形態３、４のような薬指、小指をそれぞれ挿入する１本指の指挿入具を形成するためのミシン目１６や、薬指と小指を挿入する２本指用の指挿入具を形成するためのミシン目３３は形成されていない。
【００６４】
すなわち、本実施形態では、親指、人指し指、中指、薬指、小指をそれぞれ挿入する１本指用の指挿入具を形成するためのミシン目３４のみが形成されているので、手袋２０として使用しない場合には、該ミシン目３４に沿って親指、人指し指、中指、薬指、小指の指挿入部２、３、４、５、６を分断することができ、それぞれを１本指の指挿入具として使用することができるが、上記実施形態１乃至４のように、親指、人指し指、中指の３本指用の指挿入具や、薬指、小指の２本指用の指挿入具は得ることはできない。
【００６５】
しかしながら、上記のような親指、人指し指、中指、薬指、小指をそれぞれ挿入する１本指用の指挿入具を得ることができるので、本実施形態においても、手袋、又は１本指の指挿入具として、選択的に使用することができ、或いは手袋としての使用後に、１本指の指挿入具として使用できる等の有効利用を図ることができる。
【００６６】
手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部にシール部８が形成されている点等の構成は実施形態１と共通する。
【００６７】
また、着用時において開口部７が手首まで至らないように手袋本体１が構成されており、上記実施形態１及び実施形態２に比べて、手袋本体１の縦方向の寸法が短く形成されており、この点で上記実施形態３、４と共通する。
【００６８】
（実施形態６）
本実施形態においては、図１８に示すように、手袋本体１の縦方向の寸法がさらに短く形成されており、親指、人指し指、中指、薬指、小指の指挿入部２、３、４、５、６の部分以外の、掌を被う手袋本体１の部分が短く形成されている。この点で上記実施形態１乃至５と相違している。
【００６９】
本実施形態においては、同図のように、親指、人指し指、中指、薬指、小指の指挿入部２、３、４、５、６の根元部を横切って該親指、人指し指、中指、薬指、小指の指挿入部２、３、４、５、６を分断し得るような位置にミシン目３４が形成されており、さらに各指挿入部２、３、４、５、６間の指股部９、１０、１４、１７から開口部７側に至るように、ミシン目３５が形成されている。
【００７０】
本実施形態においては、各指挿入部２、３、４、５、６の隣り合う指股部を結ぶようにして各指挿入部の根元部を横切るミシン目３４、又は指股部９、１０、１４、１７から開口部７側に至るミシン目３５のいずれのミシン目を介して手袋本体１を分断することによっても、親指、人指し指、中指、薬指、小指の各指を挿入しうる１本指用の指挿入具を得ることができる。
【００７１】
このような１本指用の指挿入具を得る上で、上記のような指股部を結ぶようにして根元部を横切るミシン目３４又は開口部７側に至るミシン目３５のいずれかが選択的に利用されることとなるが、いずれのミシン目３４、３５が利用される場合であっても、手袋、又は１本指の指挿入具として、選択的に使用することができ、或いは手袋としての使用後に、１本指の指挿入具として使用できる等の有効利用を図ることができる。
【００７２】
手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部にシール部８が形成されている点等の構成は実施形態１と共通する。
【００７３】
（実施形態７）
本実施形態においては、図１９に示すように、親指、人指し指、中指、薬指、小指の指挿入部２、３、４、５、６の部分以外の、手袋本体１の掌を被う部分が短く形成されており、また各指挿入部２、３、４、５、６間の指股部９、１０、１４、１７から開口部７側に至るようにミシン目３５が形成されている。このような構成において、上記実施形態６と共通する。
【００７４】
しかしながら、本実施形態では、各指挿入部２、３、４、５、６の隣り合う指股部を結ぶようにして各指挿入部の根元部を横切って該親指、人指し指、中指、薬指、小指の指挿入部２、３、４、５、６を分断し得るようなミシン目３４は形成されておらず、この点で実施形態６と相違している。
【００７５】
従って、本実施形態においては、上記実施形態６のように、２箇所のミシン目３４、３５のいずれかに沿って手袋本体１を分断して１本指用の指挿入具を得るというわけではなく、
指股部９、１０、１４、１７から開口部７側に至るミシン目３５を介して手袋本体１を分断することで、１本指用の指挿入具を得ることができるのであるが、手袋、又は１本指の指挿入具として、選択的に使用することができ、或いは手袋としての使用後に、１本指の指挿入具として使用できる等の有効利用を図ることができる点では、上記実施形態６と共通するものである。
【００７６】
手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部にシール部８が形成されている点等の構成は実施形態１と共通する。
【００７７】
（実施形態８）
本実施形態においては、図２０に示すように、親指を挿入するための指挿入部２と、人指し指、中指、薬指、小指の４本の指を挿入しうる指挿入部３６とが形成された構成からなり、このように４本の指を挿入しうる指挿入部３６が形成されている点で、上記実施形態１乃至７のいずれの手袋２０とも相違している。
【００７８】
また本実施形態においては、同図のように、親指の指挿入部２の根元部を横切って該親指の指挿入部２を分断し得るような位置にミシン目３４が形成されており、また人指し指、中指、薬指、小指の４本の指を挿入しうる指挿入部３６の根元部を横切って該４本の指の指挿入部３６を分断し得るような位置にミシン目３７が形成されており、さらに、親指の指挿入部２と、４本の指の指挿入部３６との間の指股部３８から開口部７側に至るように、区画シール部４０が形成され、該区画シール部４０上にミシン目３５が形成されている。
【００７９】
本実施形態においては、親指の指挿入部２及び４本指の指挿入部３６の根元部を横切るミシン目３４、３７、又は親指の指挿入部２と、４本の指の指挿入部３６との間の指股部３８から開口部７側に至るミシン目３５のいずれのミシン目を介して手袋本体１を分断することによっても、親指を挿入しうる１本指用の指挿入具と、人指し指、中指、薬指、小指の４本の指を挿入しうる４本指用の指挿入具を得ることができる。
【００８０】
このような１本指用の指挿入具、及び４本指用の指挿入具を得る上で、上記のような根元部を横切るミシン目３４、３７、又は開口部７側に至るミシン目３５のいずれかが選択的に利用されることとなるが、いずれのミシン目が利用される場合であっても、手袋、又は指挿入具として選択的に使用することができ、或いは手袋としての使用後に、指挿入具として使用できる等の有効利用を図ることができる。
【００８１】
手袋本体１の全体が合成樹脂製シートからなる点、手袋本体１が表裏両片１ａ、１ｂからなる点、各指挿入部の指先側とは反対側の手袋本体１の基端部側に開口部７が形成されている点、開口部７を除く手袋本体１の周縁部にシール部８が形成されている点等の構成は実施形態１と共通する。
【００８２】
（その他の実施形態）
尚、図２１に示すように、手袋本体１の内面側にいわゆるエンボス加工を行って多数の凹凸３９を形成することも可能である。この場合には、挿入された指の不用意な抜けが、より確実に防止されることとなる。
【００８３】
さらに、上記実施形態では、開口部７の部分を除いて、手袋本体１の輪郭となる部分にシール部８を形成したが、このようなシール部８を形成することは本発明に必須の条件ではない。
【００８４】
さらに、上記実施形態では、指挿入部の周縁部から内側に窪んだ窪み部を形成することも可能である。このような窪み部を形成することで、各指の指挿入部内に、それぞれ指が挿入された際、上記窪み部が指への引っ掛かり部分となって、各指の指挿入部から、各指が不用意に抜け出るのが好適に防止されるという好ましい効果が得られる。
【００８５】
さらに、上記実施形態では、チューブ状の合成樹脂製の長尺シートを用いて手袋を製造したが、これに限らず、たとえば２枚のシート状の長尺シートを用いて手袋を製造することも可能である。この場合には、チューブ状の長尺シートを用いる場合のように、側縁を切断する工程が不要となる。いずれにしても、手袋を製造する方法や、その製造方法に用いる材料の形態等も限定されるものではない。
【図１】
2013079465.tif 000003
【図２】
2013079465.tif 000004
【図３】
2013079465.tif 000005
【図４】
2013079465.tif 000006
【図５】
2013079465.tif 000007
【図６】
2013079465.tif 000008
【図７】
2013079465.tif 000009
【図８】
2013079465.tif 000010
【図９】
2013079465.tif 000011
【図１０】
2013079465.tif 000012
【図１１】
2013079465.tif 000013
【図１２】
2013079465.tif 000014
【図１３】
2013079465.tif 000015
【図１４】
2013079465.tif 000016
【図１５】
2013079465.tif 000017
【図１６】
2013079465.tif 000018
【図１７】
2013079465.tif 000019
【図１８】
2013079465.tif 000020
【図１９】
2013079465.tif 000021
【図２０】
2013079465.tif 000022
【図２１】
2013079465.tif 000023